(57)【要約】【課題】回転ダイヤルを有する撮像装置においてダイヤル内部にグリスを塗布すると外観部にグリスがはみ出すという問題がある。  【解決手段】回転ダイヤルの摺動部から内側と外側にグリスだまり形状を設けることによりグリスのはみ出しを防ぐ。【選択図】図6(a)
2015096901.tif 000002
【特許請求の範囲】
【請求項１】
内部に摺動部を有し、摺動部にグリスが塗布された回転ダイヤルユニットにおいて、摺動部から内部側に第1のグリスだまり部を有し、摺動部から外観側に通じる隙間の途中に第2のグリスだまりを設けた事を特徴とする撮像装置。
【請求項２】
前記第1のグリスだまりは、複数個配置されていることを特徴とする請求項１に記載の撮像装置。
【請求項３】
前記第2のグリスたまりは複数個配置されていることを特徴とする請求項１に記載の撮像装置。
【請求項４】
前記第1のグリスだまりと前記第2のグリスだまりは位相がズレて交互に配置されていることを特徴とする請求項１乃至請求項３の何れか１項に記載の撮像装置。
【発明の詳細な説明】
【技術分野】
【０００１】
本発明は、回転ダイヤルを搭載した撮像装置に関するものである。
【背景技術】
【０００２】
従来、回転ダイヤルを搭載し、グリスを使用して回転トルクを発生させている撮像装置では、グリスの外観部への染み出しを防止するために、グリス塗布部の内側に切り欠きを設けることにより、余分なグリスを取り除くためのグリスだまりを設けているものがある。
【０００３】
また、特許文献１に示すように、グリスが外部へ染み出すことを防止するため、グリス塗布部から外観部までの沿面距離を長くすることにより、グリスの漏れを防いでいる。
【先行技術文献】
【特許文献】
【０００４】
【特許文献１】特開2001-324660号公報
【発明の概要】
【発明が解決しようとする課題】
【０００５】
しかしながら上記従来例において、内側にグリスだまりを設けても、グリスを塗布する箇所の幅が狭いと、少ない量のグリスでも長い沿面距離を移動し、外観にはみ出すという問題があった。
【０００６】
そこで本発明の目的は、外観にグリスがはみ出さない構造を提供することである。
【課題を解決するための手段】
【０００７】
本発明は、内部に摺動部302を有し、摺動部にグリスが塗布された回転ダイヤルユニット201において、摺動部302から内部側に第1のグリスだまり部401a〜dを有し、摺動部から外観側に通じる隙間の途中に第2のグリスだまり402a〜dを設けたことを特徴としている。
【０００８】
また、本発明の他の特徴とするところは、前記第1のグリスだまりは、複数個配置されていることを特徴としている。
【０００９】
また、本発明のその他の特徴とするところは、前記第2のグリスたまりは複数個配置されていることを特徴としている。
また、本発明のその他の特徴とするところは、前記第1のグリスだまりと前記第2のグリスだまりは位相がズレて交互に配置されていることを特徴としている。
【発明の効果】
【００１０】
本発明によれば、回転ダイヤルの内部に塗布されたグリスが外観にはみ出すことを防ぐことができる。
【図面の簡単な説明】
【００１１】
【図１】本発明に係わる撮像装置の全体図
【図２】本発明に係わるダイヤルユニットの全体図
【図３】本発明に係わるダイヤルユニットの断面図
【図４】本発明に係わるダイヤルノブの全体図
【図５】本発明に係わるダイヤルキャップの全体図
【図６（ａ）】本発明に係わるダイヤルユニット内部の断面図（その１）
【図６（ｂ）】本発明に係わるダイヤルユニット内部の断面図（その２）
【図６（ｃ）】本発明に係わるダイヤルユニット内部の断面図（その３）
【発明を実施するための形態】
【００１２】
＜第１の実施形態＞
以下、本発明の実施例について図を参照しながら説明する。
【００１３】
図1に本発明の一例としてビデオカメラの外観図を示す。図１aに示す。
【００１４】
100ビデオカメラは、101本体部と回転ヒンジを介して接続された102表示部とから構成されている。
【００１５】
図１aは、表示部を閉じた状態の図を示しており、図１bは、表示部を開いた状態を示している。
【００１６】
前記本体部101には、103カメラ部、104MICジャック、107ヘッドホンジャック、105電源ジャック、106回転ダイヤル等が搭載されている。
【００１７】
前記カメラ部103には撮影レンズ及び撮像素子などの撮像部が搭載され、ワイヤ等により前記本体部101に搭載されたメイン基板（不図示）に接続されている。
【００１８】
前記マイクジャック104は、外部マイクを接続することにより音声を入力することができる端子である。前記ヘッドフォンジャック107はヘッドホンを接続することで音声をヘッドホンに出力することができる端子である。また、不図示だが、前記マイクジャック104の反対側の面には、デジタル信号の外部出力端子であるＨＤＭI(登録商標）端子、ＵＳＢ端子が配置されている。前記電源ジャック105は、外部から本体に電源を供給するための接続コネクタである。
【００１９】
前記回転ダイヤル106は回転操作を行うことにより、音声信号出力のボリュームやＭＩＣ感度のゲインを調整することができる。
【００２０】
次に図２abを用いてダイヤルユニットの構造について説明する。
【００２１】
図２aは、200ダイヤルユニットの組立図を示しており、201ダイヤルノブ、202ダイヤルキャップ、203ダイヤルホルダー、204エンコーダ、205ＦＰＣから構成されている。
【００２２】
図2bは、ダイヤルユニット分解図を示しており、前記ダイヤルノブ201と前記ダイヤルキャップ202の間にグリスが塗布され、回転トルクを発生させることができる。前記ダイヤルノブ201は前記ダイヤルキャップ202と前記ダイヤルホルダー203に挟まれ、前記ダイヤルキャップ202と前記ダイヤルホルダー203は、熱溶着により一定の隙間を設けて固定される。この隙間に前記ダイヤルノブ201が設置されることにより、回転動作をすることができる。
【００２３】
次に前記エンコーダ204は前記ＦＰＣ205に実装された電気部品であり、中心に設けられた穴部に前記ダイヤルノブ201に設けられた円筒形状が勘合挿入されれことにより、前記ダイヤルノブ201が回転すると、前記エンコーダ204が回転を検知し、前記ＦＰＣ205を経由して、ＭＡＩＮ基板に信号を伝え、これにより所定の動作を行うことができる。
【００２４】
次に図3を用いて前記ダイヤルユニット200の内部について説明する。図３は前記図２（a）で示したダイヤルユニットを回転中心を通る平面でカットした断面図である。
【００２５】
301はグリスを示しており、302は、前記ダイヤルノブ201と前記ダイヤルキャップ203の摺動部及びグリス塗布部であり、他の近接している面よりも隙間が小さくなっており、トルクを発生させている面である。以下トルク発生面と呼ぶ。
【００２６】
次に図４を用いて前記ダイヤルノブ201の詳細について説明する。
【００２７】
図４aは前記ダイヤルノブを前記ダイヤルキャップ202と摺動する側を正面から見た図であり、図４bは斜視図である。図4ｃは図4aで示した断面Ｂ-Ｂである。
【００２８】
図４に示す、401a,401b,401c,401dは、内側に配置されたグリスだまり形状であり、グリスの塗布量が多い場合に押し出されたグリスが溜まるように円筒形の壁に切り欠きが設けられている。前記グリスだまり形状401は90度間隔で4つ配置されている。
【００２９】
次に402a,402b,402c,402dは、外側に配置されたグリスだまり形状であり、グリスが外側に押し出された際にグリスが溜まるように設けられている。
【００３０】
前記グリスだまり形状402a,402b,402c,402dは90度間隔で4つ配置されており、前記グリスだまり形状401a,401b,401c,401dに対し45°ずれた位置に配置され、且つ前記グリス401と前記グリスだまり402は交互に配置されている。また、前記グリスだまり形状402は、重力方向に対して下側に凹形状が配置されており、グリスが流れてくると前記グリスだまり形状402に溜まるようになっている。
【００３１】
次に403はダイヤルノブトルク発生面であり、前記ダイヤルキャップ202と組み合わさり、摺動することによりトルクを発生させる面である。図に示した面403全周が摺動面である。
【００３２】
次に図５を用いて前記ダイヤルキャップ203の詳細について説明する。
【００３３】
図5aは前記ダイヤルキャップ203を前記ダイヤルノブ201と摺動する側を正面から見た図であり、図５bは、その斜視図である。図5ｃは図5aで示した断面Ｃ-Ｃである。
【００３４】
図５に示す501は、グリス塗布部であり、この部分にグリスを塗布し、前記ダイヤルノブ201と組み合わせることによりトルクを発生させる。502はダイヤルノブトルク発生面であり、図に示した面全周が摺動面である。前記ダイヤルノブ201のトルク発生面403と組み合わさり摺動する面である。
【００３５】
次に図6を用いてダイヤルユニットとグリスの関係について説明する。図６aは、図2に示したダイヤルユニットの回転中心とグリスだまり形状401を通る平面でカットした断面である。図６bは、図２に示したダイヤルユニットの回転中心とグリスだまり形状402を通る平面でカットした断面である。図６ｃはグリスだまり形状が設けられていない場合を想定したダイヤルユニット断面解説図である。
【００３６】
図6ｃに示すように外側のグリスたまり溝がないと603矢印で示したようにグリスが押し出されて外観面まではみ出してしまう。
【００３７】
図6aに示すように、前記ダイヤルキャップ202に塗布された前記グリス301は前記ダイヤルノブ201と組み合わさった際にグリスが移動し、前記トルク発生面302にグリスが充填される。
【００３８】
この時、601矢印のように前記グリスだまり形状401に余分なグリスが流れ込むことにより、前記トルク発生面302より内側にある余分なグリスが収容される。
【００３９】
また、図６bに示す、前記グリスだまり形状402は摺動部から外観側に流れ出たグリスを収容するための形状であり、602矢印で示したように前記トルク発生面302からはみ出した前記グリス301が溜まるようになっている。
【００４０】
上記したように、内側に配置された前記グリスだまり形状401と外側に配置されたグリスだまり形状402は45°位相がすれて配置されている。このため内側のグリスだまり形状401で収容できなかったグリスを外側に配置したグリスだまり形状402によって、収容することができる。
【００４１】
以上説明したようにグリスだまりを摺動部の内側と外側に配置することにより、外観面にグリスがはみ出すことを防いでいる。
【００４２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４３】
１００‥‥撮像装置
１０６‥‥回転ダイヤル
２０１‥‥ダイヤルノブ
２０２‥‥ダイヤルキャップ
２０３‥‥ダイヤルホルダー
３０１‥‥グリス
３０２‥‥トルク発生面
４０１‥‥内側のグリスだまり形状
４０２‥‥外側のグリスだまり形状
【図１】
2015096901.tif 000003
【図２】
2015096901.tif 000004
【図３】
2015096901.tif 000005
【図４】
2015096901.tif 000006
【図５】
2015096901.tif 000007
【図６（ａ）】
2015096901.tif 000008
【図６（ｂ）】
2015096901.tif 000009
【図６（ｃ）】
2015096901.tif 000010